(57)【要約】【課題】構造物の表面の切断中における不快かつ大きな切断音の発生を防ぐことができるカッター装置を提供する。【解決手段】カッター装置１０Ａは、頂壁１８および各側壁１９〜２２とそれら壁１８〜２２に囲繞された所定容積の内部空間とそれら側壁１９〜２２の下端縁に囲繞された開口とを有する５面体のハウジング１１と、ハウジング１１の内部空間に設置されたモーターと、ハウジング１１の内部空間に回転可能に設置されてモーターの回転軸に連結されたカッターブレードと、頂壁１８およびそれら側壁１９〜２２の内面に固定された防音部材と、それら側壁１９〜２２の下端縁に取り付けられて上下方向へ伸縮可能な蛇腹部材１６と、ハウジング１１の内部空間から空気を吸引する吸引手段１７とを備えている。【選択図】図１
2015140571.tif 000002
【特許請求の範囲】
【請求項１】
構造物の表面に一方向へ延びる所定深さの切目を形成するカッター装置において、
前記カッター装置が、頂壁および各側壁とそれら壁に囲繞された所定容積の内部空間とそれら側壁の下端縁に囲繞された開口とを有する５面体のハウジングと、前記ハウジングの内部空間に設置されたモーターと、前記ハウジングの内部空間に回転可能に設置されて前記モーターの回転軸に連結されたカッターブレードと、前記頂壁およびそれら側壁の内面に固定された防音部材と、それら側壁の下端縁に取り付けられて上下方向へ伸縮可能な蛇腹部材と、前記ハウジングの内部空間から空気を吸引する吸引手段とを備え、
前記カッター装置では、前記蛇腹部材を前記構造物の表面に当接させ、前記吸引手段によって前記ハウジングの内部空間から空気を吸引しつつ該内部空間を負圧にしたときに、前記蛇腹部材が上下方向へ縮んで前記カッターブレードのカッター刃が前記ハウジングの開口から下方へ露出し、その状態で前記ハウジングを一方向へ動かすことで構造物の表面に前記切目を形成することを特徴とするカッター装置。
【請求項２】
前記ハウジングの内部空間には、前記カッターブレードの大部分を包被するケーシングが設置され、前記ケーシングが、頂板および各側板とそれら板に囲繞された所定容積のカッターブレード収容空間とそれら側板の下端縁に囲繞された開口とを有し、前記カッターブレードのカッター刃が、前記ケーシングの開口から下方へ露出している請求項１に記載のカッター装置。
【請求項３】
前記吸引手段が、前記頂壁および各側壁のいずれかを貫通して前記ケーシングに連結された吸引ホースと、前記ハウジングの外側に配置されて前記吸引ホースに連結された吸引装置とから形成され、前記吸引ホースを連結する前記ケーシングの連結口が、前記ケーシングの開口近傍に形成されている請求項２に記載のカッター装置。
【請求項４】
前記吸引装置の風量が、１．５〜４．５ｍ３／ｍｉｎの範囲にあり、前記吸引装置の吸引仕事率が、１５０〜４００Ｗの範囲にある請求項３に記載のカッター装置。
【請求項５】
前記カッター装置が、前記ハウジングの内部空間に空気を給気する給気手段を含み、前記カッター装置では、前記吸引手段によって前記ハウジングの内部空間から空気を吸引しつつ、前記給気手段によって前記ハウジングの内部空間に空気を給気したときに、前記ハウジングの内部空間が所定の負圧に保持されるように、前記吸引手段による空気の吸引と前記給気手段による空気の給気とが調節されている請求項１ないし請求項４いずれかに記載のカッター装置。
【請求項６】
前記給気手段が、前記頂壁および各側壁のいずれかに連結された給気ホースと、前記ハウジングの外側に位置して前記給気ホースに連結された給気装置とから形成され、前記給気装置の風量が、１．０〜４．０ｍ３／ｍｉｎの範囲にある請求項５に記載のカッター装置。
【請求項７】
前記蛇腹部材が、それら側壁の下端縁に取り付けられて上下方向へ蛇腹折りされた伸縮部と、伸縮部の下端縁につながって前記構造物の表面に当接する所定面積の当接部とを有し、前記伸縮部と前記当接部とが、前記ハウジングの開口を囲んでいる請求項１ないし請求項６いずれかに記載のカッター装置。
【請求項８】
前記蛇腹部材の当接部の外面には、摩擦防止用テープが固着されている請求項７に記載のカッター装置。
【請求項９】
前記防音部材が、１〜６ｃｍの厚みを有するフェルト、ロックウール、グラスウール、ゴムシート、塩ビシートのうちのいずれかである請求項１ないし請求項８いずれかに記載のカッター装置。
【請求項１０】
前記カッター装置が、前記頂壁に取り付けられた第１取っ手と、それら側壁のいずれかに取り付けられて該側壁から側方へ延びる第２取っ手とを有する請求項１ないし請求項９いずれかに記載のカッター装置。
【請求項１１】
前記カッター装置による構造物の表面の切断時に発生する切断音の音圧レベルが、５０〜７０ｄＢの範囲にある請求項１ないし請求項１０いずれかに記載のカッター装置。
【発明の詳細な説明】
【技術分野】
【０００１】
本発明は、構造物の表面に一方向へ延びる所定深さの切目を形成するカッター装置に関する。
【背景技術】
【０００２】
移動可能に構成された移動体と、移動体に取り付けられて左右いずれか選択された側にカッター刃を回転可能かつそのカッター刃を着脱可能に備えるとともに傾斜可能に構成されたカッター刃ユニットと、カッター刃を回転させるカッター刃駆動手段と、カッター刃駆動手段の回転をカッター刃ユニットのカッター刃に伝達するとともにカッター刃ユニットを傾斜させた場合にその一部が移動することにより捩れが発生しないように構成された回転伝達手段とを有する路面・床面カッター装置が開示されている（特許文献１参照）。カッター装置は、カッター刃ユニットを進行方向前方に位置させた状態でカッター刃を回転させつつカッター刃を路面や床面に押し付け、カッター刃を路面や床面の中に進入させた後、移動体をゆっくりと前進させて路面や床面に進行方向へ連続した所定深さの切目を形成する。
【先行技術文献】
【特許文献】
【０００３】
【特許文献１】特開２００７−９２３６８号公報
【発明の概要】
【発明が解決しようとする課題】
【０００４】
前記特許文献１に開示のカッター装置は、回転するカッター刃によって路面や床面を切断するが、路面や床面の切断中に音圧レベルが９０ｄＢ以上の不快かつ大きな切断音が発生し、周辺に騒音をまき散らし、騒音公害の原因になる場合がある。また、カッター刃による路面や床面の切断中に多量の塵埃が巻き上げられ、周辺に塵埃をまき散らし、その塵埃による粉塵公害の原因になる場合もある。このカッター装置は、路面や床面に切目を形成する場合に利用されるが、作業者が装置を持ち上げて作業することはできず、路面や床面以外の建造物の壁面や天井面等に切目を形成することができない。
【０００５】
本発明の目的は、構造物の表面の切断中における不快かつ大きな切断音の発生を防ぐことができ、構造物の表面の切断中における塵埃のまき散らしを防ぐことができるカッター装置を提供することにある。本発明の他の目的は、構造物のあらゆる箇所に切目を形成することができるカッター装置を提供することにある。
【課題を解決するための手段】
【０００６】
前記課題を解決するための本発明の前提は、構造物の表面に一方向へ延びる所定深さの切目を形成するカッター装置である。
【０００７】
前記前提における本発明の特徴は、カッター装置が、頂壁および各側壁とそれら壁に囲繞された所定容積の内部空間とそれら側壁の下端縁に囲繞された開口とを有する５面体のハウジングと、ハウジングの内部空間に設置されたモーターと、ハウジングの内部空間に回転可能に設置されてモーターの回転軸に連結されたカッターブレードと、頂壁およびそれら側壁の内面に固定された防音部材と、それら側壁の下端縁に取り付けられて上下方向へ伸縮可能な蛇腹部材と、ハウジングの内部空間から空気を吸引する吸引手段とを備え、カッター装置では、蛇腹部材を構造物の表面に当接させ、吸引手段によってハウジングの内部空間から空気を吸引しつつ内部空間を負圧にしたときに、蛇腹部材が上下方向へ縮んでカッターブレードのカッター刃がハウジングの開口から下方へ露出し、その状態でハウジングを一方向へ動かすことで構造物の表面に切目を形成することにある。
【０００８】
本発明の一例として、ハウジングの内部空間には、カッターブレードの大部分を包被するケーシングが設置され、ケーシングが頂板および各側板とそれら板に囲繞された所定容積のカッターブレード収容空間とそれら側板の下端縁に囲繞された開口とを有し、カッターブレードのカッター刃がケーシングの開口から下方へ露出している。
【０００９】
本発明の他の一例としては、吸引手段が、頂壁および各側壁のいずれかを貫通してケーシングに連結された吸引ホースと、ハウジングの外側に配置されて吸引ホースに連結された吸引装置とから形成され、吸引ホースを連結するケーシングの連結口がケーシングの開口近傍に形成されている。
【００１０】
本発明の他の一例としては、吸引装置の風量が１．５〜４．５ｍ３／ｍｉｎの範囲にあり、吸引装置の吸引仕事率が１５０〜４００Ｗの範囲にある。
【００１１】
本発明の他の一例としては、カッター装置がハウジングの内部空間に空気を給気する給気手段を含み、カッター装置では、吸引手段によってハウジングの内部空間から空気を吸引しつつ、給気手段によってハウジングの内部空間に空気を給気したときに、ハウジングの内部空間が所定の負圧に保持されるように、吸引手段による空気の吸引と給気手段による空気の給気とが調節されている。
【００１２】
本発明の他の一例としては、給気手段が頂壁および各側壁のいずれかに連結された給気ホースとハウジングの外側に位置して給気ホースに連結された給気装置とから形成され、給気装置の風量が１．０〜４．０ｍ３／ｍｉｎの範囲にあり、給気装置の給気仕事率が１００〜３５０Ｗの範囲にある。
【００１３】
本発明の他の一例としては、蛇腹部材がそれら側壁の下端縁に取り付けられて上下方向へ蛇腹折りされた伸縮部と伸縮部の下端縁につながって構造物の表面に当接する所定面積の当接部とを有し、伸縮部と当接部とがハウジングの開口を囲んでいる。
【００１４】
本発明の他の一例として、蛇腹部材の当接部の外面には、摩擦防止用テープが固着されている。
【００１５】
本発明の他の一例としては、防音部材が１〜６ｃｍの厚みを有するフェルト、ロックウール、グラスウール、ゴムシート、塩ビシートのうちのいずれかである。
【００１６】
本発明の他の一例としては、カッター装置が頂壁に取り付けられた第１取っ手とそれら側壁のいずれかに取り付けられて側壁から側方へ延びる第２取っ手とを有する。
【００１７】
本発明の他の一例としては、カッター装置による構造物の表面の切断時に発生する切断音の音圧レベルが５０〜７０ｄＢの範囲にある。
【発明の効果】
【００１８】
本発明にかかるカッター装置によれば、構造物の表面に所定深さの切目を形成するときに、吸引手段によってハウジングの内部空間から空気が吸引されて内部空間が負圧になり、蛇腹部材が上下方向へ縮んで構造物の表面に吸い付き、蛇腹部材によってハウジングと構造物の表面との間隙が塞がれるから、カッターブレードによって構造物の表面を所定深さに切断するときに発生する切断音がハウジングの外側に漏れることはなく、構造物の表面の切断中における不快かつ大きな切断音の発生を防ぐことができ、切断音を抑制した静かな状態で構造物の表面に一方向へ延びる切目を形成することができる。また、頂壁およびそれら側壁の内面に防音部材が固定されているから、ハウジングの内部空間に伝播した切断音の音圧レベルを防音部材によって減衰させることができ、構造物の表面の切断中に発生した切断音を確実に小さくすることができる。カッター装置は、吸引手段によってハウジングの内部空間から空気が吸引されることにより、構造物の表面の切断中に発生した塵埃を空気とともに吸引手段に吸引させることができ、構造物の表面の切断中における塵埃のまき散らしを防ぐことができる。さらに、構造物の表面の切断中に発生した塵埃を吸引手段に吸引させることで、ハウジングの内部空間に塵埃が残存することはなく、ハウジングの内部空間に塵埃が残存することによるその塵埃の防音部材への付着を防ぐことができ、防音部材の防音性能の低下を防ぐことができる。
【００１９】
カッターブレードの大部分を包被するケーシングがハウジングの内部空間に設置され、カッターブレードがケーシングのカッターブレード収容空間に収容されたカッター装置は、カッターブレードをケーシングに収容することで、構造物の表面を所定深さに切断するときに発生する切断音がケーシングに閉じ込められ、切断音のハウジングの内部空間への伝播を減少させることができ、構造物の表面の切断中における不快かつ大きな切断音の発生を防ぐことができるとともに、切断音を抑制した静かな状態で構造物の表面に一方向へ延びる切目を形成することができる。
【００２０】
吸引手段の吸引ホースを連結するケーシングの連結口がケーシングの開口近傍に形成されているカッター装置は、ケーシングの開口から露出するカッターブレードのカッター刃の近傍にケーシングの連結口が形成され、その連結口に吸引ホースが連結されるから、構造物の表面の切断直後に発生した塵埃を直ちに吸引ホースに吸引させることができ、塵埃のハウジングの内部空間への拡散を防ぐことができる。カッター装置は、構造物の表面の切断中に発生した塵埃を空気とともに吸引手段に吸引させることができ、構造物の表面の切断中における塵埃のまき散らしを確実に防ぐことができる。また、構造物の表面の切断中に発生した塵埃がハウジングの内部空間へ拡散する前に、塵埃を吸引手段に吸引させることで、ハウジングの内部空間に塵埃が残存することはなく、ハウジングの内部空間に塵埃が残存することによるその塵埃の防音部材への付着を防ぐことができ、防音部材の防音性能の低下を防ぐことができる。
【００２１】
吸引装置の風量が１．５〜４．５ｍ３／ｍｉｎの範囲にあり、吸引装置の吸引仕事率が１５０〜４００Ｗの範囲にあるカッター装置は、風量が前記範囲にあるとともに吸引仕事率が前記範囲にある吸引装置によってハウジングの内部空間から空気が吸引されて内部空間が確実に負圧になり、蛇腹部材が上下方向へ縮んで構造物の表面に吸い付き、蛇腹部材によってハウジングと構造物の表面との間隙が塞がれるから、カッターブレードによって構造物の表面を所定深さに切断するときに発生する切断音がハウジングの外側に漏れることがなく、構造物の表面の切断中における不快かつ大きな切断音の発生を防ぐことができ、切断音を抑制した静かな状態で構造物の表面に一方向へ延びる所定深さの切目を形成することができる。カッター装置は、風量や吸引仕事率が前記範囲にある吸引装置によってハウジングの内部空間から空気が吸引されることにより、構造物の表面の切断中に発生した塵埃を空気とともに吸引装置に吸引させることができ、構造物の表面の切断中における塵埃のまき散らしを防ぐことができる。
【００２２】
ハウジングの内部空間に空気を給気する給気手段を含むカッター装置は、モーターの回転軸の回転によってカッターブレードを回転させ、カッターブレードのカッター刃によって構造物の表面に切目を形成する際に、構造物の表面の切断を一定時間継続すると、モーターが熱を持ち、モーターがその熱によって故障する場合があるが、給気手段によってハウジングの内部空間に空気を給気することで、内部空間を冷却することができ、それによってモーターを空冷することができるとともに、熱によるモーターの故障を防ぐことができる。カッター装置は、吸引手段によってハウジングの内部空間から空気を吸引しつつ、給気手段によってハウジングの内部空間に空気を給気したときに、ハウジングの内部空間が所定の負圧に保持されるように、吸引手段による空気の吸引と給気手段による空気の給気とが調節されているから、ハウジングの内部空間が陽圧になることはなく、蛇腹部材によってハウジングと構造物の表面との間隙が塞がれ、カッターブレードによって構造物の表面を所定深さに切断するときに発生する切断音がハウジングの外側に漏れることがなく、構造物の表面の切断中における不快かつ大きな切断音の発生を防ぐことができ、切断音を抑制した静かな状態で構造物の表面に一方向へ延びる所定深さの切目を形成することができる。
【００２３】
給気装置の風量が１．０〜４．０ｍ３／ｍｉｎの範囲にあるカッター装置は、風量が前記範囲にあるとともに給気仕事率が前記範囲にある給気装置によって空気がハウジングの内部空間に給気されたとしても、吸引装置によってハウジングの内部空間から空気が吸引されて内部空間が負圧に保持されるから、ハウジングの内部空間が陽圧になることはなく、蛇腹部材によってハウジングと構造物の表面との間隙が塞がれ、カッターブレードによって構造物の表面を所定深さに切断するときに発生する切断音がハウジングの外側に漏れることがなく、構造物の表面の切断中における不快かつ大きな切断音の発生を防ぐことができ、切断音を抑制した静かな状態で構造物の表面に一方向へ延びる所定深さの切目を形成することができる。カッター装置は、風量や給気仕事率が前記範囲にある給気装置によってハウジングの内部空間に空気を給気することで、内部空間を冷却することができるから、それによってモーターを空冷することができ、熱によるモーターの故障を防ぐことができる。
【００２４】
蛇腹部材が上下方向へ蛇腹折りされた伸縮部と伸縮部の下端縁につながって構造物の表面に当接する所定面積の当接部とを有し、伸縮部と当接部とがハウジングの開口を囲んでいるカッター装置は、吸引手段によってハウジングの内部空間から空気が吸引されて内部空間が負圧になったときに、蛇腹部材の伸縮部が上下方向へ縮んで蛇腹部材の当接部が構造物の表面に吸い付き、ハウジングの開口を囲む蛇腹部材の当接部によってハウジングと構造物の表面との間隙が塞がれるから、カッターブレードによって構造物の表面を所定深さに切断するときに発生する切断音がハウジングの外側に漏れることがなく、構造物の表面の切断中における不快かつ大きな切断音の発生を防ぐことができ、切断音を抑制した静かな状態で構造物の表面に一方向へ延びる所定深さの切目を形成することができる。
【００２５】
摩擦防止用テープが蛇腹部材の当接部の表面に固着されているカッター装置は、吸引装置によってハウジングの内部空間から空気が吸引されて内部空間が大きな負圧になると、蛇腹部材が構造物の表面に強く吸い付き、蛇腹部材によってカッター装置が構造物の表面に吸着する場合があるが、蛇腹部材の当接部に固着された摩擦防止用テープによって構造物の表面と蛇腹部材の当接部との摩擦が軽減されるから、構造物の表面においてハウジングをスムースに動かすことができ、構造物の表面に一方向へ延びる所定深さの切目を容易に形成することができる。
【００２６】
防音部材が１〜６ｃｍの厚みを有するフェルト、ロックウール、グラスウール、ゴムシート、塩ビシートのうちのいずれかであるカッター装置は、防音部材が前記厚みを有するマット状のフェルトやロックウール、グラスウールの互いに絡み合う繊維で形成されるから、防音部材を多孔質構造にすることができ、多孔質構造によって作られた繊維間の多数の空間によって切断音の音圧レベルを確実に減衰させることができるとともに、構造物の表面の切断中に発生した切断音を確実に小さくすることができる。また、防音部材が前記厚みを有するゴムシートや塩ビシートで形成されるから、ゴムシートや塩ビシートによって切断音の音圧レベルを確実に減衰させることができ、構造物の表面の切断中に発生した切断音を確実に小さくすることができる。
【００２７】
頂壁に取り付けられた第１取っ手とそれら側壁のいずれかに取り付けられて側壁から側方へ延びる第２取っ手とを有するカッター装置は、それら取っ手を把持することで、カッター装置を持ち上げることができるから、カッター装置を利用して建造物の床面のみならず、壁面や天井面等の建造物のあらゆる箇所に一方向へ延びる所定深さの切目を形成することができる。
【００２８】
構造物の表面の切断中に発生する切断音の音圧レベルが５０〜７０ｄＢの範囲にあるカッター装置は、吸引装置によってハウジングの内部空間から空気が吸引されて内部空間が負圧になり、蛇腹部材が上下方向へ縮んで構造物の表面に吸い付き、蛇腹部材によってハウジングと構造物の表面との間隙が塞がれるとともに、防音部材によって切断中に発生する切断音の音圧レベルを減衰することで、カッター装置において発生する切断音の音圧レベルを前記範囲にすることができ、切断音の発生を抑制した静かな状態で構造物の表面に一方向へ延びる所定深さの切目を形成することができる。
【図面の簡単な説明】
【００２９】
【図１】前側壁の側から示すカッター装置の斜視図。
【図２】後側壁の側から示すカッター装置の斜視図。
【図３】カッター装置の底面図。
【図４】図２の４−４線矢視断面図。
【図５】蛇腹部材の斜視図。
【図６】図５の６−６線端面図。
【図７】内壁面に切目を形成する手順の一例を説明する図。
【図８】内壁面の切断中におけるカッター装置の断面図。
【図９】前側壁の側から示す他の一例の示すカッター装置の斜視図。
【図１０】後側壁の側から示すカッター装置の斜視図。
【図１１】カッター装置の底面図。
【図１２】図９の１２−１２線矢視断面図。
【図１３】内壁面の切断中におけるカッター装置の断面図。
【発明を実施するための形態】
【００３０】
前側壁１９の側から示すカッター装置１０Ａの斜視図である図１等の添付の図面を参照し、本発明にかかるカッター装置の詳細を説明すると、以下のとおりである。なお、図２は、後側壁２０の側から示すカッター装置１０Ａの斜視図であり、図３は、カッター装置１０Ａの底面図である。図４は、図２の４−４線矢視断面図であり、図５は、蛇腹部材１６の斜視図である。図６は、図５の６−６線端面図である。図２〜図４では、吸引装置４９の図示を省略している。図１，２では、カッター装置１０Ａ（ハウジング１１）が床から持ち上げられた状態を示す。図１では、上下方向を矢印Ａ、前後方向を矢印Ｂで示し、横方向を矢印Ｃで示す。
【００３１】
カッター装置１０Ａは、建物（構造物）の床面（床スラブ）や外壁面、内壁面、天井面（天井スラブ）、柱面、梁面等（表面）に一方向へ延びる所定深さの切目５０（切り溝）（図７，８参照）を形成する場合に好適に利用されるとともに、道路（構造物）や塀（構造物）等の表面に一方向へ延びる所定深さの切目５０を形成する場合に好適に利用される。カッター装置１０Ａは、５面体のハウジング１１および５面体のケーシング１２と、モーター１３および円盤状のカッターブレード１４と、防音部材１５（防音マット）および蛇腹部材１６と、吸引手段１７とから形成されている。
【００３２】
ハウジング１１は、前後方向へ長い所定厚みの頂壁１８と、前後方向へ延びる所定厚みの前後側壁１９，２０（各側壁）と、横方向へ延びる所定厚みの左右側壁２１，２２（各側壁）とから形成されている。頂壁１８や前後側壁１９，２０、左右側壁２１，２２は、アルミニウムや合金等の軽量な金属または強化プラスチックから作られている。頂壁１８や前後側壁１９，２０、左右側壁２１，２２は、それら壁１８〜２２の交差箇所が固定手段（溶接、融着、接着）によって強固に固着されている。ハウジング１１には、それら壁１８〜２２に囲繞された所定容積の内部空間２３が画成され、前後側壁１９，２０および左右側壁２１，２２の下端縁２４に囲繞された前後方向へ長い矩形の開口２５が画成されている。
【００３３】
頂壁１８の中央には、前後方向へ延びる第１取っ手２６が取り付けられている。右側壁２１には、横方向（側方）へ延びる円柱状の第２取っ手２７が取り付けられている。後側壁２０には、モーター１３を起動・停止させるＯＮ／ＯＦＦスイッチ２８が取り付けられている。なお、ハウジングには、モーター１３の回転速度（カッターブレード１４の回転速度）を調整する速度調整機構（図示せず）が設置されている。左右側壁２１，２２の下端縁２４近傍には、開口２５を横方向へ延びる所定厚みの固定プレート２９が取り付けられている。前後側壁１９，２０および左右側壁２１，２２の下端縁２４には、前後方向および横方向へ延出して開口２５を取り囲むフランジ３０が取り付けられている。
【００３４】
第１取っ手２６や第２取っ手２７、固定プレート２９、フランジ３０は、アルミニウムや合金等の軽量な金属または強化プラスチックから作られている。固定プレート２９は、左右側壁２１，２２の下端縁２４近傍に固定手段（溶接、融着、接着）によって強固に固着されている。フランジ３０は、前後側壁１９，２０および左右側壁２１，２２の下端縁２４に固定手段（溶接、融着、接着）によって強固に固着されている。フランジ３０には、ハウジング１１の内部空間２３におけるカッターブレード１４の位置を示す目印線３１が表示されている。
【００３５】
ケーシング１２は、ハウジング１１の内部空間２３に設置され、右側壁２１の側（右側壁２１寄り）に配置されている。ケーシング１２は、前後方向へ長い所定厚みの頂板３２と、前後方向へ延びる所定厚みの前後側板３３，３４（各側板）と、横方向へ延びる所定厚みの左右側板３５，３６（各側板）とから形成されている。頂板３２や前後側板３３，３４、左右側板壁３５，３６は、アルミニウムや合金等の軽量な金属または強化プラスチックから作られている。頂板３２や前後側板３３，３４、左右側板壁３５，３６は、それら板３２〜３６の交差箇所が固定手段（溶接、融着、接着）によって強固に固着されている。
【００３６】
ケーシング１２には、それら板３２〜３６に囲繞された所定容積のカッターブレード収容空間３７が画成され、前後側板３３，３４および左右側板３５，３６の下端縁３８に囲繞された前後方向へ長い矩形の開口３９が画成されている。ケーシング１１の開口３９近傍の前側壁３３（前側壁３３の下方）には、後記する吸引装置１７の吸引ホースの端部を連結する連結口４０が形成されている。
【００３７】
モーター１３は、ハウジング１１の内部空間２３に設置され、その胴部が固定プレート２９に固定手段（ボルトおよびナット）によって強固に固定されている。モーター１３の回転軸（図示せず）は、その全体がカバー４１に包被され、前後方向へ延びている。カバー４１は、アルミニウムや合金等の軽量な金属から作られている。カバー４１には、固定治具４２によってケーシング１２が強固に固定されている。モーター１３の後部からはモーター１３に電気を供給する電線４３が延出し、その電線４３が後側壁２０の外側へ延びている。モーター１３は、ＯＮ／ＯＦＦスイッチ２８をＯＮにすることで、電気が供給され、その回転軸が回転し、スイッチ２８をＯＦＦにすることで、電気の供給が遮断され、回転軸の回転が停止する。
【００３８】
カッターブレード１４は、ケーシング１２のカッターブレード収容空間３７（ハウジング１１の内部空間２３）に回転可能に収容され、その大部分がケーシング１２（頂板３２、前後側板３３，３４、左右側板壁３５，３６）に包被されている。カッターブレード１４の回転軸は、モーター１３の回転軸にギア（図示せず）を介して連結されている。カッターブレード１４の周縁部には、カッター刃４４が形成されている。カッター刃４４は、その一部がケーシング１２の開口３９から下方へ露出している。カッターブレード１４（カッター刃４４）は、モーター１３の回転軸の回転によって回転する。カッターブレード１４には、モーター１３のトルクが伝達され、カッター刃４４によって建物の床面や外壁面、内壁面、天井面等をその表面から内部に向かって所定深さに切断する。
【００３９】
カッターブレード１４には、モルタル用カッターブレードやコンクリート用カッターブレード、タイル用カッターブレード、ブロック用カッターブレード、レンガ用カッターブレード、インターロッキング用カッターブレード、樹脂用カッターブレード、鋼板用カッターブレード、大理石用カッターブレード、御影石用カッターブレード、道路アスファルト用カッターブレード、道路コンクリート用カッターブレード等を使用することができる。
【００４０】
防音部材１５は、頂壁１８の内面の略全域と前後側壁１９，２０および左右側壁２１，２２の内面の略全域とに固定されている。防音マット１５は、固定手段（接着剤や両面テープ）によってそれら壁１８〜２２の内面に強固に固着されている。防音部材１５は、マット状のフェルト、ロックウール、グラスウール、ゴムシート、塩ビシート（防音マット）のうちのいずれかから作られている。フェルトやロックウール、グラスウール、ゴムシート、塩ビシートは、その厚みが１〜６ｃｍの範囲にある。防音部材１５は、前記厚みを有するフェルトやロックウール、グラスウールの互いに絡み合う繊維で形成された多孔質構造になっており、多孔質構造によって作られた繊維間の多数の空間が画成されている。防音部材１５では、ハウジング１１の内部空間２３に伝播した切断音の音圧レベルが繊維間の空間において減衰する。また、ゴムシートや塩ビシートによってハウジング１１の内部空間２３に伝播した切断音の音圧レベルが減衰する。
【００４１】
フェルトやロックウール、グラスウール、ゴムシート、塩ビシートの厚みが１ｃｍ未満では、防音部材１５における音圧レベルの減衰性能が低下し、ハウジング１１の内部空間２３に伝播した切断音の音圧レベルを防音部材１５によって減衰させることができない場合がある。フェルトやロックウール、グラスウール、ゴムシート、塩ビシートの厚みが６ｃｍを超過すると、防音部材１５が嵩張り、ハウジング１１の内部空間２３にケーシング１２やモーター１３、カッターブレード１４を配置するスペースを確保することが困難になるのみならず、ハウジング１１の重量が必要以上に大きくなり、ハウジング１１を動かすときの自由度が奪われ、ハウジング１１を自由に動かすことが困難になる。
【００４２】
蛇腹部材１６は、フランジ３０（前後側壁１９，２０および左右側壁２１，２２の下端縁２４）に取り付けられた伸縮部４５と、伸縮部４５の下端縁につながる所定面積の当接部４６とを有する。伸縮部４５は、上下方向へ蛇腹折りされ、その上端部分が固定手段（接着剤、ボルトおよびナット）によってフランジ３０の下面に強固に固定されている。伸縮部４５と当接部４６とは、ハウジング１１の開口２５全域を取り囲む枠を形成している。
【００４３】
当接部４６の外面には、摩擦防止用テープ４７（滑り助長テープ）が接着剤によって固着されている。蛇腹部材１６は、伸縮部４５を介して上下方向へ伸縮する。蛇腹部材１６では、建物の床面や外壁面、内壁面、天井面等をその表面から内部に向かって所定深さに切断する際に、当接部４６がそれら面（表面）に当接する。なお、当接部４６の外面に摩擦防止用テープ４７が取り付けられていなくてもよい。
【００４４】
伸縮部４５および当接部４６には、ナイロン繊維やポリエステル繊維から作られた布、ゴムシート（クロロプレンゴム、エチレンプロピレンゴム、ブチルゴム、アクリロニトリルブタジエンゴム、クロロスルホン化エチレンゴム）の間にナイロン繊維やポリエステル繊維から作られた布を介在させたゴム引布等を使用することができる。摩擦防止用テープ４７は、超高分子量ポリエチレンから作られている。
【００４５】
吸引手段１７は、吸引ホース４８（蛇腹ホース）と吸引装置４９とから形成され、ハウジング１１の内部空間２３から空気を吸引（排気）し、建物の床面や外壁面、内壁面、天井面等に切目５０（切り溝）を形成する際（切断開示時から切断継続中を含む切断中）にハウジング１１の内部空間２３を負圧にする。吸引ホース４８は、吸引装置４９からハウジング１１に向かって延び、後側壁２０および防音部材１５を貫通してハウジング１１の内部空間２３に達している。吸引ホース４８は、一方の端部が吸引装置４９の連結口に連結され、他方の端部がケーシング１２の開口３９近傍の前側板３３（前側板３３の下方）に形成された連結口４０に連結されている。
【００４６】
吸引装置４９としては、吸引ポンプまたは吸引ファンおよび集塵機能を備えた装置、または、所定の集塵容積（集塵方式：２ウェイ方式（紙パック／布袋）、紙パック方式、布フィルター方式、特殊フィルター方式等）の集塵機能を有する業務用掃除機を使用することができる。吸引装置４９には、それを起動・停止させるＯＮ／ＯＦＦスイッチ（図示せず）が設置されているとともに、その吸引風量（吸引仕事率）を調整する風量調整機構（図示せず）が設置されている。
【００４７】
吸引装置４９は、その風量が１．５〜４．５ｍ３／ｍｉｎの範囲（好ましくは、１．７５〜３．０ｍ３／ｍｉｎの範囲）にあり、その吸引仕事率が１５０〜４００Ｗ（好ましくは、１７０〜２５０Ｗ）の範囲にある。風量が２．０ｍ３／ｍｉｎ未満であって吸引仕事率が１５０Ｗ未満では、吸引装置４９（吸引手段１７）によってハウジング１１の内部空間２３を十分な負圧にすることができず、蛇腹部材１６（当接部４６）によって床面や外壁面、内壁面、天井面等とハウジング１１（フランジ３０）との間隙を塞ぐことができない。その結果、床面や外壁面、内壁面、天井面等をカッターブレード１４によって所定深さに切断するときに発生する切断音のハウジング１１の外側への漏れを防ぐことができず、それら面の切断中に発生する塵埃（切り屑）を吸引装置４９に十分に吸引させることができない。風量が４．５ｍ３／ｍｉｎを超過するとともに吸引仕事率が４００Ｗを超過すると、蛇腹部材１６（当接部４９）が床面や外壁面、内壁面、天井面等に強く吸着し、ハウジング１１を自由に動かすことが困難になる。
【００４８】
吸引装置４９の風量が前記範囲にあり、吸引装置４９の吸引仕事率が前記範囲にあるから、装置４９によってハウジング１１の内部空間２３から空気が十分に吸引されて内部空間２３を確実に負圧にすることができ、蛇腹部材１６（当接部４６）によって床面や外壁面、内壁面、天井面等とハウジング１１との間隙を塞ぐことができる。さらに、床面や外壁面、内壁面、天井面等の切断中に発生する塵埃を吸引装置４９に吸引させることができ、それら面の切断中に発生する塵埃のまき散らしを防ぐことができる。
【００４９】
図７は、カッター装置１０Ａを使用して内壁面５１に切目５０を形成する手順の一例を説明する図であり、図８は、内壁面５１の切断中におけるカッター装置１０Ａの断面図である。図７，８では、吸引装置４９の図示を省略している。カッター装置１０Ａを使用して建物の内壁面５１（表面）に切目５０を形成する手順の一例を説明すると、以下のとおりである。
【００５０】
吸引装置４９の風量調節機構によって装置４９の吸引風量を設定した後、吸引装置４９のスイッチをＯＮにして装置４９（吸引手段）を起動させる。吸引装置４９を起動させると、ハウジング１１の内部空間２３から設定風量の空気が吸引ホース４８を介して装置４９に吸引される。カッター装置１０Ａの回転速度調節機構によってモーター１３の回転速度を設定した後、カッター装置１０Ａのスイッチ２８をＯＮにしてモーター１３を起動させる。モーター１３を起動させると、モーター１３の回転軸が設定速度で回転するとともにカッターブレード１４が回転する。
【００５１】
次に、第１および第２取っ手２６，２７を手で持ってハウジング１１を持ち上げ、内壁面５１に形成する切目５０にフランジ３０の目印線３１を合わせ、蛇腹部材１６の当接部４６を内壁面５１に当接させる。当接部４６を内壁面５１に当接させると、吸引装置４９によってハウジング１１の内部空間２３の空気が吸引されることで内部空間２３が負圧になり、蛇腹部材１６の伸縮部４５が上下方向へ縮んで当接部４６が内壁面５１に吸い付くとともに、回転するカッターブレード１４のカッター刃４４がハウジング１１の開口２５から下方へ露出し、内壁面５１がその表面から内部に向かって所定深さに切断される。その状態でハウジング１１を図７，８に矢印Ｌ１で示す上方（一方向）へ動かすことで内壁面５１に上方へ直状に延びる所定深さの切目５０を形成する。蛇腹部材１６の当接部４６の外面に固着された摩擦防止用テープ４７によって蛇腹部材１６と内壁面５１との摩擦が軽減され、ハウジング１１を上方へスムーズに移動させることができる。
【００５２】
カッターブレード１４のカッター刃４４による内壁面５１の切断中では、図７，８に矢印Ｌ２で示すように、吸引装置４９によってハウジング１１の内部空間２３から空気が吸引されて内部空間２３が負圧になり、蛇腹部材１６の伸縮部４５が上下方向へ縮んで当接部４６が内壁面５１に吸い付き、当接部４６によってハウジング１１（フランジ３０）と内壁面５１との間隙が塞がれ、カッターブレード１４によって内壁面５１を切断するときに発生する切断音がハウジング１１の外側に漏れることがない。また、頂壁１８およびそれら側壁１９〜２２の内面に固定された防音部材１５によってハウジング１１の内部空間２３に伝播した切断音の音圧レベルが減衰する。その結果、内壁面５１の切断中にカッター装置１０Ａから切断音が発生したとしても、その音圧レベルは５０〜７０ｄＢに抑えられる。吸引装置４９によってハウジング１１の内部空間２３から空気が吸引されることにより、内壁面５１の切断中に発生した塵埃が空気とともに吸引装置４９（吸引装置４９の集塵機能）に吸引され、塵埃がハウジング１１の内部空間２３に残存することはない。
【００５３】
内壁面５１に上方へ延びる切目５０を形成した後、ハウジング１１を内壁面５１から離間させ、次に切目５０を形成する内壁面５１の箇所にハウジング１１を移動させた後、既述の手順で内壁面５１に次の切目５０を形成する。なお、同様の手順によって内壁面５１のみならず、建物の床面や外壁面、天井面等のあらゆる面に切目５０を作ることができる。なお、カッターブレード１４を専用のそれに交換することで、建物の床面や外壁面、内壁面、天井面がモルタルやコンクリート、タイル、ブロック、レンガ、インターロッキング、樹脂、鋼板、大理石、御影石等で作られている場合であっても、それら面に切目５０を形成することができる。
【００５４】
カッター装置１０Ａは、建物（構造物）の床面や外壁面、内壁面、天井面等（表面）に所定深さの切目５０を形成するときに、吸引装置４９（吸引手段１７）によってハウジング１１の内部空間２３から空気が吸引されて内部空間２３が負圧になり、蛇腹部材１６の伸縮部４５が上下方向へ縮んで蛇腹部材１６の当接部４６が床面や外壁面、内壁面、天井面等に吸い付き、当接部４６によってハウジング１１とそれら面との間隙が塞がれるから、カッターブレード１４のカッター刃４４によってそれら面を所定深さに切断するときに発生する切断音がハウジング１１の外側に漏れることはなく、切断中における不快かつ大きな切断音の発生を防ぐことができ、切断音を抑制した静かな状態（カッター装置１０Ｂにおいて発生する切断音の音圧レベル：５０〜７０ｄＢ）で床面や外壁面、内壁面、天井面等に一方向へ延びる切目５０を形成することができる。また、カッターブレード１４の大部分をケーシング１２に収容することで、床面や外壁面、内壁面、天井面等を切断するときに発生する切断音がケーシング１２に閉じ込められ、切断音のハウジング１１の内部空間２３への伝播を減少させることができる。
【００５５】
カッター装置１０Ａは、頂壁１８およびそれら側壁１９〜２２の内面の全域に１〜６ｃｍの厚みを有する防音部材１５（フェルト、ロックウール、グラスウール、ゴムシート、塩ビシート）が固定されているから、ハウジング１１の内部空間２３に伝播した切断音の音圧レベルを防音部材１５に形成された空間で減衰させることができ、床面や外壁面、内壁面、天井面等の切断中に発生した切断音を確実に小さくすることができる。カッター装置１０Ａは、吸引装置４９（吸引手段１７）によってハウジング１１の内部空間２３から空気が吸引されることにより、床面や外壁面、内壁面、天井面等の切断直後に発生した塵埃を空気とともに吸引装置４９（集塵機構）に直ちに吸引させることができ、それら面の切断中における塵埃のまき散らしを防ぐことができる。さらに、床面や外壁面、内壁面、天井面等の切断中に発生した塵埃を吸引装置４９に吸引させることで、ハウジング１１の内部空間２３に塵埃が残存することはなく、ハウジング１１の内部空間２３に塵埃が残存することによるその塵埃の防音部材１５への付着を防ぐことができ、防音部材１５の防音性能の低下を防ぐことができる。
【００５６】
図９は、前側壁１９の側から示す他の一例のカッター装置１０Ｂの斜視図であり、図１０は、後側壁２０の側から示すカッター装置１０Ｂの斜視図である。図１１は、カッター装置１０Ｂの底面図であり、図１２は、図９の１２−１２線矢視断面図である。図１０〜図１２では、吸引装置４９の図示を省略している。図９，１０では、カッター装置１０Ｂ（ハウジング１１）が床から持ち上げられた状態を示す。図９では、上下方向を矢印Ａ、前後方向を矢印Ｂで示し、横方向を矢印Ｃで示す。
【００５７】
カッター装置１０Ｂが図１のそれと異なるところは、給気手段５２が設置されている点にあり、このカッター装置１０Ｂにおけるその他の構成は図１のカッター装置１０Ａのそれらと同一であるから、その他の構成については図１のカッター装置１０Ａと同一の符号を付すとともに、カッター装置１０Ａにおけるその他の構成の説明を援用することで、このカッター装置１０Ｂにおけるその他の構成の詳細な説明は省略する。
【００５８】
カッター装置１０Ｂは、５面体のハウジング１１および５面体のケーシング１２と、モーター１３および円盤状のカッターブレード１４と、防音部材１５および蛇腹部材１６と、吸引手段１７と、給気手段５２とから形成されている。ハウジング１１は、前後方向へ長い所定厚みの頂壁１８と、前後方向へ延びる所定厚みの前後側壁１９，２０（各側壁）と、横方向へ延びる所定厚みの左右側壁２１，２２（各側壁）とから形成され、所定容積の内部空間２３と前後方向へ長い矩形の開口２５とを有する。
【００５９】
左右側壁２１，２２の下端縁２４近傍には、開口２５を横方向へ延びる所定厚みの固定プレート２９が取り付けられ、前後側壁１９，２０および左右側壁２１，２２の下端縁２４には、前後方向および横方向へ延出して開口２５を取り囲むフランジ３０が取り付けられている。フランジ３０には、ハウジング１１の内部空間２３におけるカッターブレード１４の位置を示す目印線３１が表示されている。
【００６０】
ケーシング１２は、前後方向へ長い所定厚みの頂板３２と、前後方向へ延びる所定厚みの前後側板３３，３４（各側板）と、横方向へ延びる所定厚みの左右側板３５，３６（各側板）とから形成され、所定容積のカッターブレード収容空間３７と前後方向へ長い矩形の開口３９とを有する。ケーシング１１の開口３９近傍の前側壁３３には、吸引装置１７の吸引ホースの端部を連結する連結口４０が形成されている。
【００６１】
モーター１３は、ハウジング１１の内部空間２３に設置され、その胴部が固定プレート２９に固定手段（ボルトおよびナット）によって強固に固定されている。カッターブレード１４は、ケーシング１２のカッターブレード収容空間３７（ハウジング１１の内部空間２３）に回転可能に収容され、その大部分がケーシング１２に包被されている。カッターブレード１４は、そのカッター刃４４によって建物の床面や外壁面、内壁面、天井面等をその表面から内部に向かって所定深さに切断する。
【００６２】
防音部材１５は、１〜６ｃｍの厚みを有するフェルト、ロックウール、グラスウール、ゴムシート、塩ビシート（防音マット）のうちのいずれかから作られ、頂壁１８の内面の略全域と前後側壁１９，２０および左右側壁２１，２２の内面の略全域とに固定されている。防音部材１５では、ハウジング１１の内部空間２３に伝播した切断音の音圧レベルが繊維間の空間において減衰する。フェルトやロックウール、グラスウール、ゴムシート、塩ビシートの厚みを前記範囲にする理由は、図１のカッター装置１０Ａのそれと同一である。
【００６３】
蛇腹部材１６は、フランジ３０（前後側壁１９，２０および左右側壁２１，２２の下端縁２４）に取り付けられて上下方向へ蛇腹折りされた伸縮部４５と、伸縮部４５の下端縁につながる所定面積の当接部４６とを有する（図５，６参照）。伸縮部４５と当接部４６とは、ハウジング１１の開口２５全域を取り囲む枠を形成している。当接部４６の外面には、摩擦防止用テープ４７（滑り助長テープ）が固着されている。
【００６４】
吸引手段１７は、吸引ホース４８（蛇腹ホース）と吸引装置４９とから形成され、ハウジング１１の内部空間２３から空気を吸引（排気）し、建物の床面や外壁面、内壁面、天井面等に切目５０（切り溝）を形成する際にハウジング１１の内部空間２３を負圧にする。吸引ホース４８は、一方の端部が吸引装置４９の連結口に連結され、他方の端部がケーシング１２の開口３９近傍の前側板３３（前側板３３の下方）に形成された連結口４０に連結されている。カッター装置１０Ｂおける吸引装置４９の風量は、１．５〜４．５ｍ３／ｍｉｎの範囲（好ましくは、１．７５〜３．０ｍ３／ｍｉｎの範囲）にあり、吸引仕事率は、１５０〜４００Ｗ（好ましくは、１７０〜２５０Ｗ）の範囲にある。風量や吸引仕事率をその範囲にする理由は、図１のカッター装置１０Ａのそれと同一である。
【００６５】
給気手段５２は、給気ホース５３（蛇腹ホース）と給気装置５４とから形成され、建物の床面や外壁面、内壁面、天井面等に切目５０（切り溝）を形成する際（切断開示時から切断継続中を含む切断中）にハウジング１１の内部空間２３に空気を給気する。給気ホース５３は、給気装置５４からハウジング１１に向かって延び、後側壁２０および防音部材１５を貫通してハウジング１１の内部空間２３に達している。給気ホース５３は、一方の端部が給気装置５４の連結口に連結され、他方の端部がハウジング１１の後側壁２０に連結されている。
【００６６】
給気装置５３としては、給気ポンプまたは給気ファンおよびフィルタ機能を備えた装置を使用することができる。給気装置５３には、それを起動・停止させるＯＮ／ＯＦＦスイッチ（図示せず）が設置されているとともに、その給気風量（給気仕事率）を調整する風量調整機構（図示せず）が設置されている。給気装置５３は、その風量が１．０〜４．０ｍ３／ｍｉｎ（好ましくは、１．２５〜２．５ｍ３／ｍｉｎの範囲）の範囲にある。
【００６７】
給気装置５３の風量が１．０ｍ３／ｍｉｎ未満では、給気装置５３（給気手段５２）によってハウジング１１の内部空間２３に十分な空気を給気することができず、内部空間２３を冷却することができない。その結果、モーターを空冷することができない。給気装置５３の風量が４．０ｍ３／ｍｉｎを超過すると、ハウジング１１の内部空間２３に対して空気の供給過多となり、吸引装置４９によって内部空間２３から空気を吸引しても内部空間２３を負圧に保持することができない場合がある。給気装置５３の風量が前記範囲にあり、給気装置５３の吸引仕事率が前記範囲にあるから、ハウジング１１の内部空間２３に十分な空気を給気することができ、モーターを確実に空冷することができる。また、内部空間２３に対して空気の供給過多となることはなく、吸引装置４９によって内部空間２３から空気を吸引した場合、それによって内部空間２３を負圧に保持することができる。
【００６８】
図１３は、内壁面５１の切断中におけるカッター装置１０Ｂの断面図である。図１３では、吸引装置４９や給気装置５４の図示を省略している。カッター装置１０Ｂを使用して建物の内壁面５１（表面）に切目５０を形成する手順の一例を説明すると、以下のとおりである。吸引装置４９の風量調節機構によって装置４９の吸引風量を設定した後、吸引装置４９のスイッチをＯＮにして装置４９（吸引手段）を起動させ、給気装置５４の風量調節機構によって装置５４の給気風量を設定した後、給気装置５４のスイッチをＯＮにして装置５４（給気手段）を起動させる。吸引装置４９を起動させると、ハウジング１１の内部空間２３から設定風量の空気が吸引ホース４８を介して装置４９に吸引され、給気装置５４を起動させると、給気ホース５３を介してハウジング１１の内部空間２３に設定風量の空気が給気される。
【００６９】
なお、吸引装置４９（吸引手段１７）によってハウジング１１の内部空間２３から空気を吸引しつつ、給気装置５４（給気手段５２）によってハウジング１１の内部空間２３に空気を給気したときに、ハウジング１１の内部空間２３が所定の負圧に保持されるように、吸引装置４９による空気の吸引（吸引風量）と給気装置５４による空気の給気（給気風量）とが調節されている。カッター装置１０Ｂの回転速度調節機構によってモーター１３の回転速度を設定した後、カッター装置１０Ｂのスイッチ２８をＯＮにしてモーター１３を起動させる。モーター１３を起動させると、モーター１３の回転軸が設定速度で回転するとともにカッターブレード１４が回転する。
【００７０】
次に、第１および第２取っ手２６，２７を手で持ってハウジング１１を持ち上げ、内壁面５１に形成する切目５０にフランジ３０の目印線３１を合わせ、蛇腹部材１６の当接部４６を内壁面５１に当接させる。当接部４６を内壁面５１に当接させると、吸引装置４９によってハウジング１１の内部空間２３の空気が吸引されることで内部空間２３が負圧になり、蛇腹部材１６の伸縮部４５が上下方向へ縮んで当接部４６が内壁面５１に吸い付くとともに、回転するカッターブレード１４のカッター刃４４がハウジング１１の開口２５から下方へ露出し、内壁面５１がその表面から内部に向かって所定深さに切断される。
【００７１】
その状態でハウジング１１を図１３に矢印Ｌ１で示す上方（一方向）へ動かすことで内壁面５１に上方へ直状に延びる所定深さの切目５０を形成する。蛇腹部材１６の当接部４６の外面に固着された摩擦防止用テープ４７によって蛇腹部材１６と内壁面５１との摩擦が軽減され、ハウジング１１を上方へスムーズに移動させることができる。カッターブレード１４のカッター刃４４によって内壁面５１に切目を形成する際に、内壁面５１の切断を一定時間継続すると、モーター１３が熱を持ち、その熱によってハウジング１１の内部空間２３が加熱されるが、給気装置５４によってハウジング１１の内部空間２３に空気が給気され、その空気によって内部空間２３が冷却され、その結果、モーターが空冷される。
【００７２】
カッターブレード１４のカッター刃４４による内壁面５１の切断中では、図１３に矢印Ｌ２で示すように、吸引装置４９によってハウジング１１の内部空間２３から空気が吸引されて内部空間２３が負圧になり、蛇腹部材１６の伸縮部４５が上下方向へ縮んで当接部４６が内壁面５１に吸い付き、当接部４６によってハウジング１１（フランジ３０）と内壁面５１との間隙が塞がれ、カッターブレード１４によって内壁面５１を切断するときに発生する切断音がハウジング１１の外側に漏れることがない。また、頂壁１８およびそれら側壁１９〜２２の内面に固定された防音部材１５によってハウジング１１の内部空間２３に伝播した切断音の音圧レベルが減衰する。その結果、内壁面５１の切断中にカッター装置１０Ｂから切断音が発生したとしても、その音圧レベルは５０〜７０ｄＢに抑えられる。吸引装置４９によってハウジング１１の内部空間２３から空気が吸引されることにより、内壁面５１の切断中に発生した塵埃が空気とともに吸引装置４９（吸引装置４９の集塵機能）に吸引され、塵埃がハウジング１１の内部空間２３に残存することはない。
【００７３】
カッター装置１０Ｂは、建物（構造物）の床面や外壁面、内壁面、天井面等（表面）に所定深さの切目５０を形成するときに、吸引装置４９（吸引手段１７）によってハウジング１１の内部空間２３から空気が吸引しつつ、給気装置５４（給気手段５２）によって内部空間２３に空気を給気したときに、内部空間２３が所定の負圧に保持されるように、吸引装置４９による空気の吸引と給気装置５４による空気の給気とが調節されているから、内部空間２３が陽圧になることはなく、蛇腹部材１６の伸縮部４５が上下方向へ縮んで蛇腹部材１６の当接部４６が床面や外壁面、内壁面、天井面等に吸い付き、当接部４６によってハウジング１１とそれら面との間隙が塞がれるから、カッターブレード１４のカッター刃４４によってそれら面を所定深さに切断するときに発生する切断音がハウジング１１の外側に漏れることはなく、切断中における不快かつ大きな切断音の発生を防ぐことができ、切断音を抑制した静かな状態（カッター装置１０Ｂにおいて発生する切断音の音圧レベル：５０〜７０ｄＢ）で床面や外壁面、内壁面、天井面等に一方向へ延びる切目５０を形成することができる。また、カッターブレード１４の大部分をケーシング１２に収容することで、床面や外壁面、内壁面、天井面等を切断するときに発生する切断音がケーシング１２に閉じ込められ、切断音のハウジング１１の内部空間２３への伝播を減少させることができる。
【００７４】
カッター装置１０Ｂは、頂壁１８およびそれら側壁１９〜２２の内面の全域に１〜５ｃｍの厚みを有する防音部材１５（フェルト、ロックウール、グラスウール、ゴムシート、塩ビシート）が固定されているから、ハウジング１１の内部空間２３に伝播した切断音の音圧レベルを防音部材１５に形成された空間で減衰させることができ、床面や外壁面、内壁面、天井面等の切断中に発生した切断音を確実に小さくすることができる。カッター装置１０Ｂは、吸引装置４９（吸引手段１７）によってハウジング１１の内部空間２３から空気が吸引されることにより、床面や外壁面、内壁面、天井面等の切断直後に発生した塵埃を空気とともに吸引装置４９（集塵機構）に直ちに吸引させることができ、それら面の切断中における塵埃のまき散らしを防ぐことができる。さらに、床面や外壁面、内壁面、天井面等の切断中に発生した塵埃を吸引装置４９に吸引させることで、ハウジング１１の内部空間２３に塵埃が残存することはなく、ハウジング１１の内部空間２３に塵埃が残存することによるその塵埃の防音部材１５への付着を防ぐことができ、防音部材１５の防音性能の低下を防ぐことができる。
【００７５】
カッター装置１０Ｂは、モーター１３の回転軸の回転によってカッターブレード１４を回転させ、カッターブレード１４のカッター刃４４による床面や外壁面、内壁面、天井面等の切断中にモーター１３が熱も持ったとしても、給気装置５４によってハウジング１１の内部空間２３に空気を給気することで、内部空間２３を冷却することができ、それによってモーター１３を空冷することができるとともに、熱によるモーター１３の故障を防ぐことができる。
【符号の説明】
【００７６】
１０Ａ  カッター装置
１０Ｂ  カッター装置
１１    ハウジング
１２    ケーシング
１３    モーター
１４    カッターブレード
１５    防音部材（防音マット）
１６    蛇腹部材
１７    吸引手段
１８    頂壁
１９    前側壁（側壁）
２０    後前側壁（側壁）
２１    右側壁（側壁）
２２    左側壁（側壁）
２３    内部空間
２４    下端縁
２５    開口
２６    第１取っ手
２７    第２取っ手
３０    フランジ
３２    頂板
３３    前側板（側板）
３４    後側板（側板）
３５    右側板（側板）
３６    左側板（側板）
３７    カッターブレード収容空間
３８    下端縁
３９    開口
４０    連結口
４４    カッター刃
４５    伸縮部
４６    当接部
４７    摩擦防止用テープ
４８    吸引ホース
４９    吸引装置
５０    切目
５２    給気手段
５３    給気ホース
５４    給気装置
【図１】
2015140571.tif 000003
【図２】
2015140571.tif 000004
【図３】
2015140571.tif 000005
【図４】
2015140571.tif 000006
【図５】
2015140571.tif 000007
【図６】
2015140571.tif 000008
【図７】
2015140571.tif 000009
【図８】
2015140571.tif 000010
【図９】
2015140571.tif 000011
【図１０】
2015140571.tif 000012
【図１１】
2015140571.tif 000013
【図１２】
2015140571.tif 000014
【図１３】
2015140571.tif 000015